(57)【要約】【課題】デジタル放送およびアナログ放送による信号を受信し、これらの放送に係る情報の出力を並行して行うものでありながら、アナログ放送とデジタル放送における情報出力のタイミングの差異を、極力解消し得る受信装置を提供する。【解決手段】デジタル放送およびアナログ放送による信号を受信し、該デジタル放送により得られた情報；および該アナログ放送により得られた情報；の出力を並行して行う受信装置であって、情報を記憶する記憶部と、前記アナログ放送により得られた情報を、該記憶部に所定時間格納させてから出力させることにより、該情報に対する遅延処理を実行する遅延手段と、を備えた受信装置とする。【選択図】図２
2008109428.tif 000002
【特許請求の範囲】
【請求項１】
デジタル放送およびアナログ放送による信号を受信し、該デジタル放送により得られた情報；および該アナログ放送により得られた情報；の出力を並行して行う受信装置であって、
情報を記憶する記憶部と；
前記アナログ放送により得られた情報を、該記憶部に所定時間格納させてから出力させることにより、該情報に対する遅延処理を実行する遅延手段と；
前記所定時間の長さを決めるための情報を取得する情報取得部を備え、該情報取得部により取得された情報に基づいて、前記所定時間の長さを調整する調整手段と；
前記デジタル放送により得られた情報、および前記アナログ放送により得られた情報に基づく映像表示を行う映像表示部と；を備え、
少なくとも、前記デジタル放送により得られた情報の出力および前記アナログ放送により得られた情報の出力を並行して行う第１モードと；前記アナログ放送により得られた情報の出力を行う一方、前記デジタル放送により得られた情報の出力を行わない第２モードと；の何れかを選択可能であり、
前記遅延手段は、
前記第１モードにおいては、前記遅延処理を実行し、前記第２モードにおいては、前記遅延処理を実行しないものである
ことを特徴とする受信装置。
【請求項２】
デジタル放送およびアナログ放送による信号を受信し、該デジタル放送により得られた情報；および該アナログ放送により得られた情報；の出力を並行して行う受信装置であって、
情報を記憶する記憶部と、
前記アナログ放送により得られた情報を、該記憶部に所定時間格納させてから出力させることにより、該情報に対する遅延処理を実行する遅延手段と、
を備えたことを特徴とする受信装置。
【請求項３】
少なくとも、
前記デジタル放送により得られた情報の出力；および前記アナログ放送により得られた情報の出力；を並行して行う第１モードと、
前記アナログ放送により得られた情報の出力を行う一方、前記デジタル放送により得られた情報の出力を行わない第２モードと、の何れかを選択可能であり、
前記遅延手段は、
前記第１モードにおいては、前記遅延処理を実行し、
前記第２モードにおいては、前記遅延処理を実行しないことを特徴とする請求項２に記載の受信装置。
【請求項４】
前記所定時間の長さを調整する調整手段を備え、
該調整手段は、
前記所定時間の長さを決めるための情報を取得する情報取得部を備え、
該情報取得部により取得された情報に基づいて、前記調整を行うことを特徴とする請求項２または請求項３に記載の受信装置。
【請求項５】
前記デジタル放送により得られた情報；および前記アナログ放送により得られた情報；に基づく映像表示を行う、映像表示部を備えたことを特徴とする請求項２から請求項４の何れかに記載の受信装置。
【発明の詳細な説明】
【技術分野】
【０００１】
本発明は、放送信号を受信する受信装置に関し、特に、デジタル放送およびアナログ放送による信号を受信するものに関する。
【背景技術】
【０００２】
従来、例えばテレビ放送受信機などの受信装置において、デジタル放送とアナログ放送の双方による信号を受信するものが開発されている。まずこのような受信装置の構成例について、図４を参照しながら説明する。
【０００３】
図４に示すように、本受信装置１０１は、ＲＦ信号受信部１１１、アナログチューナ回路１１２、Ａ／Ｄコンバータ１１３、デジタルチューナ回路１１４、メインＩＣ１１５、映像出力部１１８、音声出力部１１９などを備えている。
【０００４】
ＲＦ信号受信部１１１は、デジタル放送およびアナログ放送による信号の双方を受信して、後段の回路に伝送する。そしてアナログチューナ回路１１２は、ＲＦ信号受信部１１１から伝送された信号から所定周波数のものを抽出することにより、所定チャンネルのアナログ放送による信号のみを後段に伝送する。そしてＡ／Ｄコンバータ１１３は、伝送されてきたアナログ信号をデジタル信号に変換して、後段のメインＩＣ１１５に出力する。
【０００５】
一方、デジタルチューナ回路１１４は、ＲＦ信号受信部１１１から伝送された信号から所定周波数のものを抽出することにより、所定チャンネルのデジタル放送による信号のみを、後段のメインＩＣ１１５に出力する。
【０００６】
メインＩＣ１１５は、入力された信号に所定の処理を施し、当該信号に対応した映像信号および音声信号を生成する。これによりメインＩＣ１１５は、アナログ放送により得られた情報およびデジタル放送により得られた情報の各々を、並行して後段の出力部に伝送することが可能となっている。
【０００７】
映像出力部１１８はディスプレイ装置を備えており、メインＩＣ１１５から伝送されたアナログ放送に係る映像情報とデジタル放送に係る映像情報に基づいて、これらの映像の同時表示（２画面表示）を行う。一方、音声出力部１１９はスピーカを備えており、ユーザの指示に応じて、アナログ放送に係る音声情報、またはデジタル放送に係る音声情報を出力する。
【０００８】
このような構成の受信装置によれば、デジタル放送に係る番組とアナログ放送に係る番組の双方を、並行して視聴したいというニーズに応えることが可能である。
【特許文献１】特開２００２−０１０１６０号公報
【特許文献２】特開２００１−１１９６４１号公報
【特許文献３】特開平０９−２００６４２号公報
【発明の開示】
【発明が解決しようとする課題】
【０００９】
ここで上述した受信装置において、一連の受信信号に対する処理に要する時間に着目すると、通常、デジタル放送による信号の処理に要する時間は、アナログ放送による信号の処理に要する時間よりも大きくなる。かかる時間の差異は、アナログ放送による信号と、デジタル放送による信号とでは、必要となる処理が異なること等が原因である。
【００１０】
例えばデジタル放送では、信号伝達の効率化などのために予め情報の圧縮処理が施されていることから、受信装置側でこの圧縮を解除する処理（デコード処理）が必要となる。このようにデジタル放送による信号の処理では、アナログ放送による信号の処理に比べて多くの過程を要するのが通常であり、上述したように、処理に要する時間に差異が生じることとなる。
【００１１】
そのため、受信装置によりアナログ放送とデジタル放送を並行して映像表示させるようにすると、デジタル放送による映像表示が、アナログ放送のものに比べて遅延してしまうこととなる。その結果、本来同じタイミングで表示されるべき映像にも関わらず、一方が遅延されて表示されることにより、ユーザに違和感を与えてしまうおそれがある。
【００１２】
そこで本発明は、上記の問題に鑑みてなされたものであり、デジタル放送およびアナログ放送による信号を受信し、これらの放送に係る情報の出力を並行して行うものでありながら、アナログ放送とデジタル放送における情報出力のタイミングの差異を、極力解消し得る受信装置の提供を目的とする。
【課題を解決するための手段】
【００１３】
上記目的を達成するため、本発明による受信装置は、デジタル放送およびアナログ放送による信号を受信し、該デジタル放送により得られた情報；および該アナログ放送により得られた情報；の出力を並行して行う受信装置であって、情報を記憶する記憶部と、前記アナログ放送により得られた情報を、該記憶部に所定時間格納させてから出力させることにより、該情報に対する遅延処理を実行する遅延手段と、を備えた構成（第２の構成）とする。
【００１４】
本構成によれば、アナログ放送により得られた情報を、所定時間遅延させて出力することが可能となる。そのため、デジタル放送により得られた情報とアナログ放送により得られた情報を並行して出力するにあたって、これらの出力のタイミングの差異を、極力解消することが可能となる。
【００１５】
すなわち、上記の遅延時間を、デジタル放送により得られた情報とアナログ放送により得られた情報における処理時間の差、もしくはこれに近い値とすることで、これらの情報に係る出力のタイミングの差異を極力小さくすることができる。
【００１６】
また上記第２の構成において、少なくとも、前記デジタル放送により得られた情報の出力；および前記アナログ放送により得られた情報の出力；を並行して行う第１モードと、前記アナログ放送により得られた情報の出力を行う一方、前記デジタル放送により得られた情報の出力を行わない第２モードと、の何れかを選択可能であり、前記遅延手段は、前記第１モードにおいては、前記遅延処理を実行し、前記第２モードにおいては、前記遅延処理を実行しない構成（第３の構成）としてもよい。
【００１７】
本構成によれば、アナログ放送により得られた情報の出力を実行させたいが、デジタル放送により得られた情報の出力が必要ではない場合には、上記の第２モードにより対応することができる。そしてこの第２モードにおいては、デジタル放送により得られた情報とアナログ放送により得られた情報における出力のタイミングの差を考慮する必要はなく、遅延処理を実行しないこととしている。そのため、無駄な遅延処理の実行を省略し、処理負担の低減などを達成することが可能となる。
【００１８】
また上記第２または第３の構成において、前記所定時間の長さを調整する調整手段を備え、該調整手段は、前記所定時間の長さを決めるための情報を取得する情報取得部を備え、該情報取得部により取得された情報に基づいて、前記調整を行う構成（第４の構成）としてもよい。
【００１９】
本構成によれば、アナログ放送により得られた情報に対する遅延処理の時間を調整することが可能である。そのため、例えば、デジタル放送により得られた情報とアナログ放送により得られた情報における処理時間の差が変動する場合であっても、これに応じて遅延処理の時間を調整することにより対応可能である。
【００２０】
また上記第２から第４の何れかの構成において、前記デジタル放送により得られた情報；および前記アナログ放送により得られた情報；に基づく映像表示を行う、映像表示部を備えた構成（第５の構成）としてもよい。
【００２１】
本構成によれば、デジタル放送番組およびアナログ放送番組の映像表示（映像データの出力）を、並行して実行することができるとともに、双方の映像表示におけるタイミングのずれを極力解消することが可能となる。
【００２２】
また、デジタル放送およびアナログ放送による信号を受信し、該デジタル放送により得られた情報；および該アナログ放送により得られた情報；の出力を並行して行う受信装置であって、情報を記憶する記憶部と；前記アナログ放送により得られた情報を、該記憶部に所定時間格納させてから出力させることにより、該情報に対する遅延処理を実行する遅延手段と；前記所定時間の長さを決めるための情報を取得する情報取得部を備え、該情報取得部により取得された情報に基づいて、前記所定時間の長さを調整する調整手段と；前記デジタル放送により得られた情報、および前記アナログ放送により得られた情報に基づく映像表示を行う映像表示部と；を備え、少なくとも、前記デジタル放送により得られた情報の出力および前記アナログ放送により得られた情報の出力を並行して行う第１モードと；前記アナログ放送により得られた情報の出力を行う一方、前記デジタル放送により得られた情報の出力を行わない第２モードと；の何れかを選択可能であり、前記遅延手段は、前記第１モードにおいては、前記遅延処理を実行し、前記第２モードにおいては、前記遅延処理を実行しないものである構成（第１の構成）の受信装置であれば、上記第２から第５の構成に係る利点を享受することができる。
【発明の効果】
【００２３】
上述したように、本発明の受信装置によれば、アナログ放送により得られた情報を、所定時間遅延させて出力することが可能となる。そのため、デジタル放送により得られた情報とアナログ放送により得られた情報を並行して出力するにあたって、これらの出力のタイミングの差異を、極力解消することが可能となる。
【００２４】
すなわち、上記の遅延時間を、デジタル放送により得られた情報とアナログ放送により得られた情報における処理時間の差、もしくはこれに近い値とすることで、これらの情報に係る出力のタイミングの差異を極力小さくすることができる。
【発明を実施するための最良の形態】
【００２５】
以下に、本発明の実施形態としてデジタル／アナログ放送受信装置を挙げ、実施例１と実施例２に分けて説明する。
【００２６】
［実施例１］
本発明の実施例１について、図１を参照しながら説明する。本図に示すように、デジタル／アナログ放送受信装置（以下、「受信装置」と称する）１は、ＲＦ信号受信部１１、アナログチューナ回路１２、Ａ／Ｄコンバータ１３、デジタルチューナ回路１４、メインＩＣ１５、メモリ部１６、遅延時間情報取得部１７、映像出力部１８、および音声出力部１９などを備えている。
【００２７】
ＲＦ信号受信部１１は、ＲＦ信号を取り込むためのアンテナを備え、デジタル放送による信号およびアナログ放送による信号を受信して、後段回路に伝送する。なおこのＲＦ信号受信部１１は、デジタル放送を受信するものとアナログ放送を受信するものを、別個に設けるようにしても良い。
【００２８】
アナログチューナ回路１２は、ＲＦ信号受信部１１から伝送された信号のうち、所定チャンネルのアナログ放送に係る信号を抽出し、この信号のみを後段に出力する。なおこの所定チャンネルについては、不図示のユーザインターフェースを通じて得られたユーザの指示に基づいて決定される。
【００２９】
Ａ／Ｄコンバータ１３は、アナログチューナ回路１２の後段に設けられており、スライス処理などを通じて、アナログ信号をデジタル信号に変換する。変換された信号は、後段のメインＩＣ１５に出力される。
【００３０】
デジタルチューナ回路１４は、ＲＦ信号受信部１１から伝送された信号のうち、所定チャンネルのデジタル放送に係る信号を抽出し、この信号のみを後段に出力する。なおこの所定チャンネルについては、不図示のユーザインターフェースを通じて得られたユーザの指示に基づいて決定される。
【００３１】
メインＩＣ１５は、各種処理を実行するための処理装置や制御装置（マイコン等）を備えている。そしてＡ／Ｄコンバータ１３から入力された信号、すなわちアナログ放送により得られた信号に対しては、該信号をメモリ部１６に所定時間だけ記憶させる処理や、当該信号から映像情報および音声情報を抽出する処理などを実行する。
【００３２】
そしてこのように抽出された映像情報については、映像出力部１８に出力することとする。また不図示のユーザインターフェースにより、アナログ放送に係る音声を出力するように指示がなされているときは、抽出された音声情報をも音声出力部１９に出力する。
【００３３】
またメインＩＣ１５は、デジタルチューナ回路１４から入力された信号、すなわちデジタル放送により得られた信号に対しては、該信号に施されている圧縮を解除する処理（デコード処理）や、当該信号から映像情報および音声情報を抽出する処理などを実行する。
【００３４】
そしてこのように抽出された映像情報については、映像出力部１８に出力することとする。また不図示のユーザインターフェースにより、デジタル放送に係る音声を出力するように指示がなされているときは、抽出された音声情報をも音声出力部１９に出力する。なおメインＩＣ１５が実行する処理の内容については、改めて詳細に説明する。
【００３５】
メモリ部１６は、例えばＳＤＲＡＭ［Synchronous DRAM］などにより構成されており、メインＩＣ１５の指示に応じて、Ａ／Ｄコンバータ１３からメインＩＣ１５に入力された信号（アナログ放送による信号）を一時的に記憶する。
【００３６】
格納時間情報取得部１７は、ユーザインターフェースの一部を有しており、例えばユーザによるボタンスイッチの操作などを通じて、格納時間情報（アナログ放送による信号について、メモリ部１６に格納させておく時間を決定するための情報）を取得する。取得された情報は、不図示のメモリ装置に格納される。
【００３７】
映像出力部１８は、例えばＬＣＤ等のディスプレイ装置を備えており、メインＩＣ１５から伝送されたアナログ放送に係る映像情報とデジタル放送に係る映像情報に基づいて、これらの映像の同時表示（２画面表示）を行う。なお２画面表示の態様（それぞれの面積比など）については、任意に設定が可能である。
【００３８】
音声出力部１９は、スピーカを備えており、ユーザの指示に応じて、アナログ放送またはデジタル放送に係る音声を出力する。なお、例えばヘッドフォンが接続されている場合などにおいては、スピーカからはアナログ放送およびデジタル放送の何れか一方に係る音声を、ヘッドフォンからは他方に係る音声を出力するようにしてもよい。
【００３９】
以上に説明した構成により、受信装置１は、デジタル放送およびアナログ放送による信号を受信するとともに、デジタル放送により得られた情報、およびアナログ放送により得られた情報の出力を、並行して行うことが可能である。ここで受信装置１における受信信号の流れについて、図２を参照しながら、より詳細に説明する。
【００４０】
まずアナログ放送に係る信号が、あるタイミングＴ０で受信された（ＲＦ信号受信部１１に到達した）場合を想定する。この信号は先述した通り、アナログチューナ回路１２やＡ／Ｄコンバータ１３等を経ることとなり、あるタイミング（ここではＴ２とする）でメインＩＣ１５に到達する。
【００４１】
そしてこの信号は、メインＩＣ１５の制御により、一定時間、メモリ部１６に格納される。なおこの一定時間とは、具体的には、格納時間情報取得部１７を通じて予め得られている、格納時間情報により定められる。
【００４２】
メモリ部１６に格納されてから上述の一定時間が経過したタイミング（ここではＴ３とする）で、この信号は、メモリ部１６から出力される。そしてメインＩＣ１５内において、この信号に対応する映像情報および音声情報を抽出するために必要な処理が実行される。かかる処理が完了した段階で（このタイミングをＴ４とする）、得られた映像情報や音声情報は、映像出力部１８や音声出力部１９へと出力される。
【００４３】
次にデジタル放送に係る信号が、上述のタイミングＴ０で受信された（ＲＦ信号受信部１１に到達した）場合を想定する。この信号は先述した通り、デジタルチューナ回路１４等を経ることとなり、あるタイミング（ここではＴ１とする）でメインＩＣ１５に到達する。
【００４４】
そしてメインＩＣ１５内において、この信号に対応する映像情報および音声情報を抽出するために必要な処理が実行される。ここでデジタル放送に係る信号に施すべき必要な処理は、アナログ放送に係るものに比べて、多くの時間を要する。これは、デジタル放送に係る信号の処理においては、例えば圧縮符号化を解除する処理（デコード処理）などが必要となるからである。かかる処理が完了した段階で（このタイミングをＴ５とする）、得られた映像情報や音声情報は、映像出力部１８や音声出力部１９へと出力される。
【００４５】
以上のことから、アナログ放送に係る映像・音声出力は、信号受信から、Ｔ４とＴ０の差分だけ遅延してなされ、デジタル放送に係る映像・音声出力は、信号受信から、Ｔ５とＴ０の差分だけ遅延してなされることとなる。また相対的に見れば、アナログ放送とデジタル放送の映像・音声出力のタイミングは、Ｔ５とＴ４の差分だけ相違しているといえる。
【００４６】
ここで仮に、アナログ放送による信号をメモリ部１６に格納する処理が行われていなかったとすると、Ｔ５とＴ４の差分はより大きくなっていたと言える。つまり、本実施形態の受信装置１では、メモリ部１６への格納処理を実行することで、アナログ放送とデジタル放送における映像・音声出力のタイミングの相違を、小さくすることが可能となっている。
【００４７】
またメモリ部１６にアナログ放送による信号を格納する時間は、格納時間情報取得部１７から得られた格納時間情報により定まるから、例えばユーザが２画面表示を見比べて、違和感を生じないように格納時間を決めることも可能である。なお、遅延時間情報取得部１７を設けることとせず、格納時間が所定値に固定されている（装置の製造時に確定されている）ものとしてもよい。
【００４８】
［実施例２］
本発明の実施例２について、図３を参照しながら説明する。なお本実施例は、モード情報取得部２０を設けて各種の動作モードを選択可能とした点を除いては、基本的に実施例１と同様の構成であるため、重複した説明は省略する。
【００４９】
モード情報取得部２０は、ユーザインターフェースの一部を有しており、例えばユーザによるボタンスイッチの操作などを通じて、モード情報（受信装置１の動作モードを決定するための情報）を取得する。これによりユーザは、動作モードを自在に選択することができる。取得された情報は、不図示のメモリ装置に格納される。
【００５０】
受信装置１の動作モードは、アナログ放送とデジタル放送の両方に係る映像・音声出力を並行して行う第１モード、アナログ放送に係る映像・音声出力を行うが、デジタル放送に係る出力を行わない第２モード、および、デジタル放送に係る映像・音声出力を行うが、アナログ放送に係る出力を行わない第３モード、の３通りのモードからなる。これにより、デジタル放送とアナログ放送のうち一方のみを視聴できればよい場合は、第２モードあるいは第３モードを選択することにより、無駄な信号処理を省くことができる。
【００５１】
ここで第１モードにて受信装置１を動作させるときの処理内容については、実施例１の場合と同様（アナログ放送の信号を、メモリ部１６に一定時間格納させる）であるが、第２モードにて動作させる場合は、信号をメモリ部１６に格納させる処理を省略することとする。つまりメインＩＣ１５は、Ａ／Ｄコンバータ１３から伝送された信号に対し、直接、この信号に対応する映像情報および音声情報を抽出するために必要な処理を実行する。
【００５２】
このようにするのは、第２モード（デジタル放送に係る出力を行わない）では、アナログ放送とデジタル放送における映像・音声出力のタイミングの相違を考慮する必要がないからである。信号をメモリ部１６に格納させる処理を省略することで、よりリアルタイムな（遅延時間の小さい）映像・音声出力が実現できるとともに、消費電力の節約にも貢献することができる。
【００５３】
［まとめ］
以上に説明したように、受信装置１は、デジタル放送およびアナログ放送による信号を受信し、当該デジタル放送により得られた情報、および当該アナログ放送により得られた情報の出力を並行して行うものである。そしてさらに受信装置１は、情報を記憶するメモリ部１６（記憶部）を備えており、アナログ放送により得られた情報をメモリ部１６に所定時間格納させてから出力させることにより、当該情報に対する遅延処理を実行する手段（遅延手段）を備えている。
【００５４】
そのため受信装置１においては、アナログ放送により得られた情報を、所定時間遅延させて出力することが可能となっている。そしてひいては、デジタル放送により得られた情報とアナログ放送により得られた情報を並行して出力するにあたって、これらの出力のタイミングの差異を、極力解消することが可能となっている。
【００５５】
すなわち、上記の遅延時間を、デジタル放送により得られた情報とアナログ放送により得られた情報における処理時間の差、もしくはこれに近い値とすることで、これらの情報に係る出力のタイミングの差異を極力小さくすることが可能となっている。
【００５６】
以上、本発明の実施形態について説明したが、本発明はこれらに限定されるものではなく、本発明の主旨を逸脱しない範囲で、種々の変更が可能である。また各実施例の内容は、矛盾の無い限り、任意に組み合わせて実現することが可能である。
【産業上の利用可能性】
【００５７】
本発明は、デジタル／アナログ放送受信装置などにおいて有用である。
【図面の簡単な説明】
【００５８】
【図１】本発明の実施例１に係るデジタル／アナログ放送受信装置の構成図である。
【図２】本発明の各実施例における、受信信号の流れに関する説明図である。
【図３】本発明の実施例２に係るデジタル／アナログ放送受信装置の構成図である。
【図４】従来のデジタル／アナログ放送受信装置に係る構成図の一例である。
【符号の説明】
【００５９】
１    デジタル／アナログ放送受信装置
１１    ＲＦ信号受信部
１２    アナログチューナ回路
１３    Ａ／Ｄコンバータ
１４    デジタルチューナ回路
１５    メインＩＣ
１６    メモリ部（記憶部）
１７    格納時間情報取得部
１８    映像出力部
１９    音声出力部
２０    モード情報取得部
【図１】
2008109428.tif 000003
【図２】
2008109428.tif 000004
【図３】
2008109428.tif 000005
【図４】
2008109428.tif 000006